(57)【要約】【課題】ユーザに対して生きがいを与えること。【解決手段】実施形態によれば、電子機器は、取得手段と、表示処理手段とを具備する。前記取得手段は、ユーザの健康に係わる目標値を示す目標情報を取得し、前記ユーザの行動に係わる行動情報を記録する記録機器から前記目標情報に対応する情報とを取得する。前記表示処理手段は、前記行動情報と前記目標情報とに基づいて、目標値に対する実績値を示す実績情報を含む第１画面を表示装置に表示する。【選択図】図１
2015069442.tif 000002
【特許請求の範囲】
【請求項１】
ユーザの健康に係わる目標値を示す目標情報を取得し、前記ユーザの行動に係わる行動情報を記録する記録機器から前記目標情報に対応する情報を取得する取得手段と、
前記行動情報と前記目標情報とに基づいて、前記目標値に対する実績値を示す実績情報を含む第１画面を表示装置に表示する表示処理手段と
を具備する電子機器。
【請求項２】
前記取得手段は、リモートコントローラから前記電子機器をオンにするためのオン信号を取得し、
前記オン信号が取得された場合に、前記表示処理手段は、前記第１画面を前記表示装置に表示する
請求項１に記載の電子機器。
【請求項３】
前記リモートコントローラから前記オン信号が一日の内で初めて送信された場合に、前記表示処理手段は前記第１画面を前記表示装置に表示する
請求項１に記載の電子機器。
【請求項４】
前記取得手段は、前記リモートコントローラから前記ユーザの生体情報を取得し、
前記表示処理手段は、前記生体情報に基づいた情報を更に含む前記第１画面を前記表示装置に表示する
請求項２に記載の電子機器。
【請求項５】
前記表示処理手段は、前記生体情報に基づいて選択され、第１のサーバから送信された広告データに基づいて広告を更に含む前記第１画面を前記表示装置に表示する
請求項４に記載の電子機器。
【請求項６】
前記表示処理手段は、前記生体情報に基づいて作成され、第２のサーバから送信されたアドバイスデータに基づいたアドバイスを更に含む前記第１画面を前記表示装置に表示する
請求項４に記載の電子機器。
【請求項７】
前記表示処理手段は、前記リモートコントローラから第１情報が送信された場合、第３のサーバから送信された雇用情報に基づいて、雇用先を示す第２画面を前記表示装置に表示する
請求項２に記載の電子機器。
【請求項８】
現在放映されている番組の内から、第２の携帯機器から送信された位置情報に基づいて、前記位置情報に関連する関連番組を推定する推定手段を更に具備し、
前記表示処理手段は、前記関連番組を前記表示装置に表示する請求項１に記載の電子機器。
【請求項９】
ユーザの健康に係わる目標値を示す目標情報を取得し、
前記ユーザの行動に係わる行動情報を記録する記録機器から前記目標情報に対応する情報を取得し、
前記行動情報と前記目標情報とに基づいて、目標値に対する実績値を示す実績情報を含む画面を表示装置に表示する
表示方法。
【発明の詳細な説明】
【技術分野】
【０００１】
本発明の実施形態は、電子機器および表示方法に関する。
【背景技術】
【０００２】
高齢者のヘルスケアシステムにおいては、トレーニングや生体情報センシングによって健康を管理することが行われている。
【先行技術文献】
【特許文献】
【０００３】
【特許文献１】特開２０１３−６６６７２号公報
【特許文献２】特開２０１３−８５６２６号公報
【発明の概要】
【発明が解決しようとする課題】
【０００４】
高齢者のヘルスケアを考えると、日々前向きに(精神面)、健康(肉体面)で、楽しく(趣味)暮らせるように生きがいを与える仕組みを作ることが重要になっている。
【０００５】
本発明の目的は、ユーザに対して生きがいを与えることが可能な電子機器および表示方法を提供することにある。
【課題を解決するための手段】
【０００６】
実施形態によれば、電子機器は、取得手段と、表示処理手段とを具備する。前記取得手段は、ユーザの健康に係わる目標値を示す目標情報を取得し、前記ユーザの行動に係わる行動情報を記録する記録機器から前記目標情報に対応する情報とを取得する。前記表示処理手段は、前記行動情報と前記目標情報とに基づいて、目標値に対する実績値を示す実績情報を含む第１画面を表示装置に表示する。
【図面の簡単な説明】
【０００７】
【図１】実施形態のヘルスケアシステムの構成の一例を示す図。
【図２】ヘルスケアチャンネル画面の例を示す図。
【図３】ヘルスケアチャンネル画面を表示する手順を示すフローチャート。
【図４】テレビジョン装置に付加されている追加機能を説明するための図。
【図５】テレビジョン装置に付加されている追加機能を説明するための図。
【図６】テレビジョン装置に付加されている追加機能を説明するための図。
【発明を実施するための形態】
【０００８】
以下、実施の形態について図面を参照して説明する。
【０００９】
図１は、ヘルスケアシステムの構成を示すブロック図である。
【００１０】
ヘルスケアシステムは、電子機器としてのテレビジョン装置１０、リモートコントローラ２０、ヘルスケアデータ蓄積サーバ３０、広告サービスサーバ４０、スマートフォン５０、およびアドバイス送信サーバ６０等を備えている。
【００１１】
記録機器としてのスマートフォン５０は、ユーザの行動に係わる行動情報を記録する。スマートフォン５０は、歩数を計る歩数計機能、食事を記録管理する食事記録管理機能、ユーザによって行われた運動を記録管理する運動記録管理機能を有する。スマートフォン５０は、歩数、食事、ユーザによって行われた運動等の行動情報をテレビジョン装置１０に通知する機能を有する。なお、行動情報は、自動で通知されても良いし、手動で通知しても良い。
【００１２】
テレビジョン装置１０は、通信部１１、ヘルスケアデータ解析部１２、バナー生成部１３、アドバイス情報生成部１４、画面生成部１５、およびディスプレイ１６等を備えている。
【００１３】
リモートコントローラ２０は、操作ボタン群２１、脈波センサ２２、心電センサ２３、および通信部２４等を備えている。操作ボタン群２１は、テレビジョン装置１０の電源をオンにするための電源ボタン、チャンネルを選択するための数字ボタン等を備えている。脈波センサ２２は、ユーザがリモートコントローラ２０を握った際にユーザの脈波を測定する。心電センサ２３は、ユーザがリモートコントローラ２０を握った際にユーザの心電図を測定する。
【００１４】
操作ボタン群２１内の電源ボタンの操作によりリモートコントローラ２０からテレビジョン装置１０をオンにするための電源オン信号が送信され、且つ１日で初めてテレビジョン装置１０のオンにする際に、ユーザによって握られたリモートコントローラ２０の脈波センサ２２、心電センサ２３が、脈波・心電図などの生体情報をセンシングする。センシングの際に、テレビジョン装置１０が、ガイダンスを音声または画像により提示しても良い。センシング後、生体情報は、通信部２４によってテレビジョン装置１０に伝送される。
【００１５】
ユーザは、リモートコントローラ２０の操作ボタン群２１を用いて、その日の運動目標、摂取カロリー目標、消費カロリー目標などを入力する。入力された目標情報は、通信部２４によってテレビジョン装置１０に伝送される。
【００１６】
ヘルスケアデータ解析部１２は、リモートコントローラ２０から伝送された生体情報や健康管理機器からの情報（たとえば体重計からの体重や血圧計からの血圧）から、例えばストレス度合、軟骨年齢、血圧を解析する。
【００１７】
脈波センサ２２の出力時系列信号を解析して、脈拍間隔の変動を示す上述の脈拍間隔データを生成する。そして、ヘルスケアデータ解析部１２は、所定期間分の脈拍間隔データを周波数スペクトル分布に変換することよってそれぞれ得られる低周波領域のパワースペクトル（ＬＦ）および高周波数領域のパワースペクトル（ＨＦ）に基づいて、ストレス度を測定する。この場合、ＬＦ／ＨＦが、ストレス度を表す。
【００１８】
ヘルスケアデータ解析部１２は、スマートフォン５０から通知された歩数、食事、ユーザによって行われた運動と、運動目標、摂取カロリー目標、消費カロリー目標に基づいて、各目標に対する実績値を演算する。
【００１９】
テレビジョン装置１０は、ヘルスケアチャンネルを表示する。ヘルスケアチャンネルが後でも見れるように、ヘルスケアチャンネルを表示させるためのヘルスケアチャンネルボタンがリモートコントローラに設けられていてもよい。ヘルスケアチャンネルでは、日々採取している生体情報や、他のネットワーク上に接続されてる健康管理機器からの情報（たとえば体重計からの体重）が表示される。さらにそれらの生体情報から解析される情報（たとえばストレス度合、軟骨年齢、血圧）が表示されてもよい。ユーザは、昨日の目標値に対する実績値を確認し、専門家の老化予防情報やアドバイスを確認する。リモートコントローラ２０等から伝送された生体情報および実績値を含むヘルスケアデータは、ヘルスケアデータ蓄積サーバ３０に蓄積される。
【００２０】
広告サービスサーバ４０は、ヘルスケアデータ蓄積サーバ３０に蓄積されているデータの一部を解析することにより、ユーザに有効な広告情報を選択する。例えば、広告サービスサーバ４０は、ストレスが強いならば、ストレスを低減する食品の広告を選択する。広告サービスサーバ４０は、選択された広告情報をテレビジョン装置１０に送信する。テレビジョン装置１０は、複数の広告情報（動画広告データ、バナー広告データ）を蓄積することが可能である。動画広告データは、サムネイル画像データと、ＵＲＬデータ、動画データとを含む。バナー広告データは、画像データとＵＲＬデータとを含む。
【００２１】
専門家は、ヘルスケアデータ蓄積サーバ３０に蓄積されているヘルスケアデータを参照することにより、ユーザへのアドバイスを作成する。専門家は、作成されたアドバイスをアドバイス送信サーバ６０からテレビジョン装置１０に送信する。アドバイス情報生成部１４は、アドバイス送信サーバ６０から送信されたアドバイスに基づいて、アドバイス情報を生成する。
【００２２】
画面生成部１５は、ヘルスケアデータ解析部１２による解析結果、バナー生成部１３によって選択された広告情報、アドバイス情報生成部１４によって生成されたアドバイス情報に基づいて、ヘルスケアチャンネル画面を生成する。
【００２３】
図２は、ヘルスケアチャンネル画面の例を示す図である。
【００２４】
図２に示すように、ヘルスケアチャンネル画面には、リモートコントローラ２０から送られた生体情報や、スマートフォン５０から送られた行動情報、ヘルスケアデータ蓄積サーバ３０に蓄積されているヘルスケアデータに基づいて、体重、軟骨年齢、ストレスなどのデータ経緯の時系列グラフ７１が示されている。ヘルスケアチャンネル画面には、メッセージ表示欄７２が、表示されている。メッセージ表示欄７２には、リモートコントローラ２０から入力された今日の目標、昨日の目標に対する実績値、アドバイス送信サーバから送信されたアドバイス等が表示される。
【００２５】
ヘルスケアチャンネル画面には、商品ＣＭボタン７３、リンクボタン７４、バナー広告ボタン７５が表示されている。商品ＣＭボタン７３が操作されると、画面生成部１５は、Ｌ字型画面によって、広告サービスサーバ４０から送信された一つの動画広告データに含まれる動画データを再生表示する。リンクボタン７４が操作されると、再生表示された動画データに対応する動画広告データに含まれるＵＲＬデータに基づいて、サイトを表示する。このサイトは、例えば動画データによって紹介された商品を購入することが可能なサイトである。バナー広告ボタンが操作されると、バナー広告に対応するサイトをディスプレイ１６に表示する。
【００２６】
図３は、ヘルスケアチャンネル画面を表示する手順を示すフローチャートである。
【００２７】
日にちが変わった後に、通信部１１がスマートフォンから行動情報を取得する（ステップＢ１１）。操作ボタン群２１内の電源ボタンの操作によりリモートコントローラ２０からテレビジョン装置１０をオンにするための電源オン信号が送信され、且つ１日で初めてテレビジョン装置１０のオンにする際、通信部１１は、リモートコントローラ２０等から生体情報を取得する（ステップＢ１２）。なお、リモートコントローラ２０からの生体情報の取得は、ユーザがリモートコントローラ２０を握る度に取得しても良い。通信部１１は、リモートコントローラ２０から目標情報を取得する（ステップＢ１３）。ヘルスケアデータ解析部１２は、生体情報に基づいて生体情報を解析する（ステップＢ１４）。ヘルスケアデータ解析部１２は、昨日取得した目標情報と、昨日の行動情報に基づいて、実効値を演算する（ステップＢ１５）。画面生成部１５は、生体情報の解析結果を示す情報、実効値等を含むヘルスケアチャンネル画面を表示する。
【００２８】
ユーザが設定した目標に対して、スマートフォン５０から通知された行動情報に基づいて、実績値を表示することで、ユーザに対して生きがいを与えることが可能になる。
【００２９】
（第１の付加機能）
図４は、テレビジョン装置に付加されている追加機能を説明するための図である。  
テレビジョン装置１０は、雇用先案内サービスサーバ８０と通信を行う。地域（雇用先）から自治体に対して、人を集めてほしいと依頼する（雇用依頼）。自治体は、依頼に応じて雇用先案内サービスサーバ８０に雇用内容、雇用先の住所等の雇用先情報を登録する。
【００３０】
通信部１１が、リモートコントローラ２０の操作ボタン群２１の操作による社会貢献の意志通知を受信すると、通信部１１は、社会貢献意志情報を雇用先案内サービスサーバ８０に通知する。雇用先案内サービスサーバ８０は、自治体によって登録された雇用先情報をテレビジョン装置１０に送信する。画面生成部１５は、雇用先情報に基づいて、雇用内容、雇用先の住所を示す画面をディスプレイ１６に表示する。
【００３１】
ユーザが、雇用先において社会貢献、地域貢献、知識貢献、技術伝承等の作業を行う。雇用先は、ユーザの貢献度に対して評価を行う。自治体は、評価に応じた貢献度評価情報を雇用先案内サービスサーバ８０に登録する。雇用先案内サービスサーバ８０は、貢献度評価情報に応じたポイント情報をテレビジョン装置１０に通知する。
【００３２】
画面生成部１５は、通知されたポイント情報に含まれるコード番号を表示する。ユーザは、コード番号を提示することにより地域振興券を得ることが可能になる。
【００３３】
この付加機能によれば、地方自治体と協力して、地域労働のコミュニティで雇用を紹介するような、雇用先紹介やヘルパー募集をインターネット上のクラウドサービスを展開する。ユーザはテレビジョン装置１０を使って、これらの地域労働やボランティアに応募する。地方自治体は公募することで安定したボランティアを確保することができる。地域労働を募集した組織の現場では、ユーザを評価し、貢献度に応じてポイントを付与したり、地方自治体で使える地域振興券を配布したりする。ユーザは評価される喜びと、地域振興券やポイントによる金銭的な見返りだけではなく、地域に貢献したことと技術を伝承したことによる生きがいが向上する。ユーザ、地方自治体、労働力が必要な組織の３者がＷＩＮ−ＷＩＮの関係とすることができる。
【００３４】
（第２の付加機能）
図５は、テレビジョン装置に付加されている追加機能を説明するための図である。  
テレビジョン装置１０は、放送波受信部９１、関連キーワード推定部９２、関連番組推定部９３、制御部９４等を備えている。
【００３５】
通信部は１１、スマートフォン１００、クラウドサーバ１１０等と通信を行う。スマートフォン１００は、同居家族／非同居家族のものである。スマートフォン１００は、ＧＰＳシステムを備え、位置情報や経路情報をテレビジョン装置１０に通知する。
【００３６】
クラウドサーバ１１０は、番組視聴履歴格納部１１１、関連情報検索部１１２等を備えている。番組視聴履歴格納部１１１は、過去に視聴された番組のメタ情報を格納している。関連情報検索部１１２は、後述する関連キーワード推定部９２によって推定された関連キーワードに関連する情報をインターネット等に接続された検索サイトから取得する。検索された情報は、画面生成部１５に通知される。画面生成１５は検索された情報をディスプレイ１６に表示する。
【００３７】
放送波受信部９１は、放送局から送信された放送波を受信する。関連キーワード推定部９２は、スマートフォン１００から送信された位置情報および経路情報、および番組視聴履歴格納部１１１に格納されているメタ情報の何れかに基づいて、関連キーワードを推定する。関連番組推定部９３は、現在放送されている番組のメタ情報と、関連キーワード推定部９２によって推定された関連キーワードとに基づいて、放送中の番組から関連キーワードに関連する番組を推定する。制御部９４は、関連番組推定部９３によって推定された関連番組の情報を生成する。画面生成部１５は、関連番組の情報をディスプレイ１６に表示する。
【００３８】
旅行などで移動した位置情報から関連番組を推定して、同居家族／非同居家族に提示することで、話をはずませることが可能になる。
【００３９】
また、視聴した番組の履歴から、行きたそうな場所（旅行会社）、オススメ商品、食べ物屋、趣味（テニスコート、サッカーチケット）を推定して提示することが可能になる。
【００４０】
（第３の付加機能）
図６は、テレビジョン装置１０に付加されている追加機能を説明するための図である。テレビジョン装置１０は、映像加工部１２１を更に備えている。
【００４１】
リモートコントローラ２０の操作ボタン群２１の操作により食事宅配モードを設定すると、通信部１１が、食生活管理サーバ１４０に対して食事の宅配を注文する。また、リモートコントローラ２０の操作ボタン群２１の操作による映像モードを設定すると、通信部１１が、ＶＯＤサーバ１３０に視聴時刻および視聴番組を通知する。ＶＯＤサーバ１３０は、視聴時刻を示す視聴時刻情報を食生活管理サーバ１４０に通知する。食生活管理サーバ１４０は、ユーザの健康を考慮した食事の宅配を食事宅配業者に注文する。食事宅配業者は、視聴時刻情報に基づいた時刻（例えば、視聴時刻の直前）に、ユーザに対して食事を宅配する。
【００４２】
ＶＯＤサーバ１３０は、視聴時刻に、映像データをテレビジョン装置１０に対して配信する。映像加工部１２１は、配信された映像データに対して、セピア調の加工を施す。映像加工部１２１は、セピア調に加工された映像をディスプレイ１６に表示する。
【００４３】
食事中に映像をユーザに見せることで、趣味を増進しながらも食生活管理することが可能になる。セピア調の映像をユーザに見せることで、ユーザが昔を懐かしむことができるようになる。
【００４４】
また、本実施形態の各種処理はコンピュータプログラムによって実現することができるので、このコンピュータプログラムを格納したコンピュータ読み取り可能な記憶媒体を通じてこのコンピュータプログラムを通常のコンピュータにインストールして実行するだけで、本実施形態と同様の効果を容易に実現することができる。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１０…テレビジョン装置、１１…通信部、１２…ヘルスケアデータ解析部、１５…画面生成部、１６…ディスプレイ、２０…リモートコントローラ、２１…操作ボタン群、２２…脈波センサ、２３…心電センサ。
【図１】
2015069442.tif 000003
【図２】
2015069442.tif 000004
【図３】
2015069442.tif 000005
【図４】
2015069442.tif 000006
【図５】
2015069442.tif 000007
【図６】
2015069442.tif 000008